(57)【要約】  反射特性を有する反射面１００１（第１の光学面）とこれに対向する発光面１００２（第２の光学面）を有し、反射面１００１に点光源２０１を収容する凹部１０１を設け、点光源２０１の最大光度が得られる照射方向が第１の面および第２の面の間の領域を向くように点光源２０１を凹部１０１内に配置する。凹部１０１の底部には反射加工１０３を反射面１００１には反射加工１０４を設け、凹部１０１近傍の領域には反射加工１０４の無い部位１０５を配置する。
2013150908.tif 000002
【特許請求の範囲】
【請求項１】
反射特性を付与された第１の光学面と、
第１の光学面にほぼ対向し、透過特性を付与された第２の光学面と、
内部に光源を収容するよう前記第１の光学面に形成された凹部を有し、
前記光源の光度がほぼ最大となる照射方向が第１の光学面および第２の光学面の間の領域を向くよう前記凹部内に前記光源が配置されることを特徴とする導光デバイス。
【請求項２】
請求項１に記載の導光デバイスにおいて、前記第１の光学面または第２の光学面が曲面をなすよう形成されることを特徴とする導光デバイス。
【請求項３】
請求項１または２に記載の導光デバイスにおいて、前記第１の光学面の反射特性を付与された部位が前記凹部近傍を除いて設けられることを特徴とする導光デバイス。
【請求項４】
請求項１〜３のいずれか１項に記載の導光デバイスにおいて、前記第１の光学面の反射特性が第１の光学面に対する塗装、第１の光学面に対する印刷、または第１の光学面に対する表面加工により付与されることを特徴とする導光デバイス。
【請求項５】
請求項１〜４のいずれか１項に記載の導光デバイスにおいて、透過特性を付与された前記第２の光学面の表面が鏡面加工され、前記第２の光学面に対して臨界角以下の光線が前記第２の光学面から出射することを特徴とする導光デバイス。
【請求項６】
請求項１〜５のいずれか１項に記載の導光デバイスにおいて、前記光源の保持部材ないし導光デバイスが実装される照明装置筐体を固定するための保持部が前記凹部の縁部から突出するよう形成されていることを特徴とする導光デバイス。
【請求項７】
請求項１〜６のいずれか１項に記載の導光デバイスを含み、前記光源の照射光を前記第２の光学面から面発光により照射することを特徴とする照明装置。
【請求項８】
請求項７に記載の照明装置において、前記第２の光学面を覆うよう配置された拡散板を有することを特徴とする照明装置。
【請求項９】
請求項８に記載の照明装置において、前記凹部の底部に反射特性が付与されていることを特徴とする照明装置。
【発明の詳細な説明】
【技術分野】
【０００１】
本発明はＬＥＤなどの光源の照明光を導光する導光デバイス、および該導光デバイスを用いた照明装置に関する。
【背景技術】
【０００２】
近年、ＬＥＤのような光源デバイスを用いた照明装置が急速に普及している。ＬＥＤは小型軽量で消費電力が小さい特徴があるが、近年ではさらにＬＥＤの高輝度化が進んでおり、ＬＥＤを照明光源に用いることにより照明効率を向上でき、しかも同じ照明光量の白熱灯や蛍光灯に比して消費電力を低減できるため注目を集めている。【０００３】
一方で、ＬＥＤは点光源であるため、照明装置において単に点光源の照明光をそのまま対象物に照射するような構造を採用すると、対象物の周囲に鮮鋭に過ぎる影が生じたり、また照明装置がユーザ視野に入った時に眩しすぎたりして、良好な照明品質を得るのが難しい。【０００４】
このため、従来より、ＬＥＤのような点光源を室内照明に用いる場合、あるいは表示装置のバックライトなどに用いる場合でも、導光部材や拡散部材を用いてＬＥＤの照明光を面発光に変換してグレア（不快なまぶしさ、眩惑感）を低減させる工夫がなされている。【０００５】
下記の特許文献１では、液晶パネルのバックライト装置として、点光源からの出射光を拡散するレンズを用いて輝度ムラや色ムラを低減する技術が開示されている。【０００６】
特許文献２では、光源を被覆するシリンドリカルレンズを用い垂直方向に凹レンズ機能を付与し、また少なくとも水平方向の一部の方向に凸レンズ機能を付与することにより均一な面状照射を可能とする技術が開示されている。【０００７】
特許文献３では、アレイ光源用光学素子を用い、コリメータレンズを用いた面状の薄型の発光装置が開示されている。【０００８】
また、特許文献４では、ＬＥＤ基板を覆うレンズ部を有し、このレンズ部は上部の中央部分に溝が形成されたドーム形状または半円筒形状になっており、光の指向性を側方向に広げるようになっている。【０００９】
特許文献５には、ＬＥＤの発光面の向きが設置される道路面と垂直になるように配置された自発光式道路鋲が開示されている。
【先行技術文献】
【特許文献】
【００１０】
【特許文献１】特開２００９−１９２９１５号公報
【特許文献２】特開２００６−２８６６０８号公報
【特許文献３】特開２０１０−０４０２９６号公報
【特許文献４】特開２０１１−１５５２６２号公報
【特許文献５】特開２００１−１７６３１７号公報
【発明の概要】
【発明が解決しようとする課題】
【００１１】
上述の従来技術では、ＬＥＤのような点光源からの出射光を拡散したり反射させたりする光学部材を導光材料として用い、輝度ムラ・色ムラのないバックライトや照明装置、道路表示装置などを実現している。【００１２】
しかしながら、近年では、ＬＥＤやＣＣＦＬ（冷陰極線蛍光管）のような光源デバイスの輝度は極めて大きくなりつつあり、特に面発光の照明装置では、光源の位置が粒状に透けて見えたり、それがギラつき感を生じさせたりする問題が起きやすくなっており、均一な面発光の照明光を照射するのが困難な場合があり、均一な面発光の必要な用途では特に問題となることがある。また、コリメータレンズを用いた照明装置の場合には、たとえば製造の過程でＬＥＤ光源と光学部材の位置関係が設計上の設定位置からずれてしまうとＬＥＤの直射光が容易に漏れ光となり、グレアとなってしまうような問題を生じる。【００１３】
本発明の課題は、導光材料の形状、およびその拡散、反射特性を適切に組合せることにより、均一で高品質な面発光照明光を照射でき、特に室内照明装置などに好適に利用できる導光デバイス、および該導光デバイスを利用した照明装置を提供することにある。
【課題を解決するための手段】
【００１４】
上記課題を解決するため、本発明においては、
反射特性を付与された第１の光学面と、
第１の光学面にほぼ対向し、透過特性を付与された第２の光学面と、
内部に光源を収容するよう前記第１の光学面に形成された凹部を有し、
前記光源の光度がほぼ最大となる照射方向が第１の光学面および第２の光学面の間の領域を向くよう前記凹部内に前記光源が配置される構成を採用した。
【発明の効果】
【００１５】
上記構成によれば、光源の照射光の主たる照射方向が、反射特性を付与された第１の光学面と、第１の光学面にほぼ対向し透過特性を付与された第２の光学面との間の領域を向くよう、第１の光学面に設けた凹部内に前記光源を配置するようにしているため、光源近傍のグレアを低減し、また光源が粒状に透けて見えるような現象を軽減し、均一で高品質な面発光の照明光を照射でき、特に室内照明装置などに好適に利用できる導光デバイス、および該導光デバイスを利用した照明装置を提供することができる。
【図面の簡単な説明】
【００１６】
【図１】本発明を採用した導光デバイスの構造を示した説明図である。
【図２ａ】本発明を採用した導光デバイスの光学特性を示した説明図である。
【図２ｂ】本発明を採用した導光デバイスの光学特性を示した説明図である。
【図２ｃ】本発明を採用した導光デバイスの光学特性を示した説明図である。
【図３】本発明を採用した照明装置の主要部の構造を示した分解斜視図である。
【図４】本発明を採用した導光デバイスの異なる構造を示した斜視図である。
【図５】図４の導光デバイスに対して光源を実装した回路基板を装着する構造の一例を示した分解斜視図である。
【発明を実施するための形態】
【００１７】
以下、図面に示す一実施例に基づいて本発明を実施するに好適な形態につき説明する。
【実施例】
【００１８】
図１〜図３に本発明を採用した導光デバイスおよびその導光デバイスを用いた照明装置の実施例を示す。【００１９】
本実施例の導光デバイス１００は、透明アクリルなどの材料を射出成型、塑性加工（押出成型）、あるいは削り出しおよび研磨のような手法を用いて、平面ないしは曲面の組合せで構成された全体としてはほぼ板状の形状を有し、その１面（図１下部では紙面の手前側の面、図１上部の各拡大図示においては左側に図示した面１００１）の中央部に光源（後述の２０１）を収容するための凹部１０１を形成したものである。【００２０】
本実施例の導光デバイス１００は、上記の凹部１０１が形成された光学面１００１と、この面に対向する光学面１００２の２つの光学面を有する。【００２１】
このうち、凹部１０１が形成された光学面１００１は、後述の発光面１００２に対向し、主に光反射特性が強くなるように構成する。以後、導光デバイス１００の面１００１は、便宜上、反射面１００１として言及する。また、第２の光学面である発光面１００２は、その機能から当然ながら、主に透過特性が強くなるように構成する。【００２２】
ここで、光源２０１はたとえばＬＥＤのような点光源であり、本実施例では光源２０１は回路基板２００、２００に平面実装されるＬＥＤデバイスであるものとし、以下光源２０１については「点光源」として言及するが、この点光源（２０１）は必ずしもＬＥＤを意味するものではない。たとえば、本実施例において用いることができる光源（２０１）は、ＣＣＦＬなどのように発光部が（その断面においては）「点」に近いと考えて差しつかえない小さな体積（断面においては面積）の範囲に集中しており、その発光部から放射状に強い照明光を照射する光源デバイスであれば該当する。【００２３】
また、平面実装ＬＥＤデバイスのような点光源（２０１）の場合には、その主たる照射方向、すなわち、設計／仕様上、あるいは実測上、光源の照射光によって得られる光度がほぼ最大となる照射方向が決まっている場合が多く、そして、この方向（最大光度方向）は平面実装ＬＥＤの場合、基板実装状態ではデバイス中心を通り回路基板２００に垂直な方向となる場合が多い。【００２４】
あるいは、設計／仕様上、最大光度が得られる照射方向が保証されていないか、発光部を中心に半球状（あるいは球状）に同一照明光強度の範囲が均一に分布するような理想的な点光源特性に近い配光特性を有するような光源デバイスであっても、図示のように回路基板２００に平面実装した場合には、背面の回路基板２００の反射などの条件を考慮すると、便宜上、光源デバイスの最大光度が得られる「主たる照射方向」はデバイス中心を通り回路基板２００に垂直な方向にほぼ一致する、と考えてよい。【００２５】
そして、本実施例では、点光源２０１の実装状態において、その主たる照射方向、すなわち、点光源２０１の最大光度が得られる照射方向が導光デバイス１００の第１の光学面（１００１）と第２の光学面（１００２）の間の領域を向くよう、導光デバイス１００が構成される。【００２６】
すなわち、光源２０１を保持する保持部材としての回路基板２００、２００は、図３および図２に示すように本実施例では溝状に形成された凹部１０１内に２枚配置される。そして、回路基板２００、２００には、ほぼ等距離で点光源２０１、２０１…を多数配置されており、各基板の点光源２０１の最大光度が得られる照射方向（たとえば、上記の点光源２０１、２０１…の中心を通り回路基板２００、２００と垂直な方向：以下「主たる照射方向」として言及する）がそれぞれ凹部１０１の壁面を向くように回路基板２００、２００が配置される。【００２７】
本実施例の導光デバイス１００の発光面（１００２）は図１下部では紙面の奥側の面に相当し、図１上部の各拡大図示においては右側に図示した面１００２であり、上記のような光源配置によって点光源２０１、２０１…の主たる照射方向は反射面１００１と発光面１００２の中間の領域を向いており、導光デバイス１００の発光面１００２の照射方向（発光面１００２の面発光方向、図１上部の拡大図で拡散板１１０の面に垂直な直線方向）に対してはほぼ９０°の角度をなすものとなる。【００２８】
上記のような光源配置によって、本実施例の導光デバイス１００は、全体としては点光源２０１、２０１…の照明光を拡散して発光面１００２から照射する。【００２９】
なお、設計／仕様上、あるいは実測において、光源２０１の主たる照射方向、すなわち最大光度が得られる照射方向が、上記の点光源２０１の中心を通り回路基板２００と垂直な方向とは異なる場合には、最大光度が得られる照射方向が反射面１００１と発光面１００２の中間領域を向くように導光デバイス１００に対する回路基板２００の向きや点光源２０１の実装姿勢などが調整されるのはもちろんである。【００３０】
導光デバイス１００全体の断面形状は任意であり、たとえば図１の上部に拡大状態で符号Ａ、Ｂ、Ｃにより示すような断面形状が考えられる。断面形状Ａ〜Ｃはそれぞれ溝状の凹部１０１の片側のみを示しているが、もちろん不図示の側（図の下側）も凹部１０１の中心に対して対称な形状となっているものとする。【００３１】
このうち、断面形状Ａは導光デバイス１００を最も単純な平板状に構成した構造である。この断面構造では、反射面１００１と発光面１００２は平行になっている。【００３２】
また、断面形状Ｂは反射面１００１とそれに対向する発光面１００２を曲面（円筒面）とし、特に発光面１００２よりも反射面１００１の曲率を大きくとった構造である。【００３３】
断面形状Ｃの場合は、反射面１００１および発光面１００２を曲面とし、逆に反射面１００１よりも発光面１００２の曲率を大きくとり、しかも凹部１０１の両側においてそれぞれが互いに不連続な異なる円筒面形状を有する、いわゆるガルウィング形状としたものである。【００３４】
ここまで導光デバイス１００の２面は、便宜上、反射面１００１および発光面１００２として言及してきたが、導光デバイス１００を構成する特定の形状を有するアクリルなどの材料の空気との界面においては、材料内部を進行してきた光線は該界面となす角度によって屈折、透過、拡散、（全）反射などのように異なる光学作用を生じる。【００３５】
この点を考慮し、導光デバイス１００の反射面１００１は、好ましくは発光面１００２への反射効率を向上させるため、前記のように反射特性が強くなるように構成する。このため反射面１００１には反射加工１０４を行なう。【００３６】
この反射加工１０４は、反射面１００１に対する塗装、反射面１００１に対する印刷、または反射面１００１に対する表面加工などにより行ない、これにより反射面１００１の反射特性を向上させる。そしてこの反射加工１０４は、図１に符号１０４ａによりそれぞれ示すように、反射面１００１のみならず導光デバイス１００の側面にまで及ぶのが望ましく、これによって、導光デバイス１００中央に反射する光量を増やし、導光デバイス１００の端部で発光量が低下しがちになるのを防止することができる。【００３７】
なお、この反射加工１０４は、必ずしも反射面１００１の全体に渡り施す必要はなく、むしろ点光源２０１を収容する凹部１０１の近傍においては反射加工の無い部位（１０５、１０５）を形成する方が好ましい。この点については後で詳述する。【００３８】
また、凹部１０１の底部には、反射加工１０４と同等の反射加工１０３を施すのが好ましい場合がある（特に後述の拡散板１１０を配置した構成が該当する）。この点についても後で詳述する。【００３９】
一方、発光面１００２は、透過特性が強い光学面とするため、たとえばアクリルなどの材質を（鏡面）研磨するなどの加工を行ない、透明度が高くなるよう構成する。【００４０】
図２ａ、図２ｂ、図２ｃは、点光源２０１の代表的な照射光線の振舞いを模式的に示している。なお、ここでは図１の断面形状Ｂの場合の例のみを示しているが、断面形状Ｂよりも各面１００１、１００２の曲率の小さい（曲率のない）断面形状Ａおよび曲率の大きい断面形状Ｃにおいても、点光源２０１の照射光線の振舞いは反射や屈折の角度が異なるのみでほぼ同等と考えてよい。【００４１】
図２ａ、図２ｂ、図２ｃに示すように、導光デバイス１００内部において、点光源２０１を出射した光線は反射ｐ、全反射ｑ、透過ｒ、屈折（および透過）ｓのような光学作用を生じ、最終的に発光面１００２から照射される。【００４２】
図２ａ、図２ｂ、図２ｃでは、ごく少ない代表的な光線の行跡のみを、しかも導光デバイス１００の１断面のみに限定して示したが、点光源２０１から出射した光線は凹部１０１の壁面から導光デバイス１００に入射してあらゆる方向に進み、各界面において複雑かつランダムな反射ｐ、全反射ｑ、透過ｒ、屈折（および透過）ｓのような光学作用を生じるため、導光デバイス１００全体としてはいわゆる照明光の拡散作用を生じ、これにより発光面１００２からほぼ均一な面発光の照明光を照射することができる。【００４３】
そして、本実施例では、点光源２０１の主たる照射方向が発光面１００２とそれに対向する反射面１００１の間の領域に向くように点光源２０１を配置している。あるいは、この点光源２０１の主たる照射方向は、発光面１００２と平行である（ないしは発光面１００２の照射方向とは交差する）ということもできる。【００４４】
要するに、本実施例の特徴は、導光デバイス１００の中央の凹部１０１内に配置した点光源２０１の主たる照射方向が発光面１００２の最終的な照射方向とは一致していない（あるいは交差している）、という点にある。【００４５】
このような構成によると、近年の発光量の大きいＬＥＤのような点光源であっても、各点光源２０１、２０１…の近傍で眩しいグレアを生じたり、発光面１００２から点光源が粒状に透けて見えるような不体裁を生じる可能性が低くなり、発光面１００２から均一で高品質な面発光の照明光を照射することができる。【００４６】
なお、図３は導光デバイス１００を用いて照明装置を構成する際の基本構造例を示しており、導光デバイス１００の下部に導光デバイス１００に面して拡散板１１０を配置してある。【００４７】
拡散板１１０は、たとえば乳白色アクリル板などの拡散特性の強い材料から構成するもので、拡散板１１０を配置することによって、各点光源２０１、２０１…の近傍で眩しいグレアを生じたり、点光源が粒状に透けて見えるような現象をより確実に防止することができる。【００４８】
拡散板１１０が平板状のものである場合、発光面１００２に密着させて配置してもよいが、図１の断面形状Ａのように発光面１００２が平面である場合には図３に示すように少し離して配置することが考えられる。【００４９】
このように拡散板１１０を発光面１００２からわずかに離間させて配置すると、両者の間の空気層によって拡散板１１０と発光面１００２を密着させるよりも拡散効果が高くなり、発光面１００２において点光源２０１、２０１…の近傍で眩しいグレアを生じたり、発光面１００２から点光源が粒状に透けて見えるような現象をより効果的に軽減することができる。【００５０】
また、図１の断面形状Ｂ、Ｃのように発光面１００２が曲面である場合にも平板状の拡散板１１０を用いることができ、その場合は図１にそれぞれ示すように導光デバイス１００の端縁において発光面１００２と接し、点光源２０１、２０１…の配置された中央部においてはわずかに離間するような配置にするとよい。この構成では、全体に渡り一様な拡散特性を有する平板状の拡散板１１０を用いたとしても、導光デバイス１００の中央部では発光面１００２と拡散板１１０の間に空気層によって、この領域では発光面１００２と拡散板１１０が接する両端縁の領域よりも拡散性を強く作用させることができるため発光面１００２全体に渡って均一な発光特性を得たい場合に都合がよい。【００５１】
ここで、導光デバイス１００の凹部１０１底部の反射加工１０３、反射面１００１の反射加工１０４の無い部位１０５（無反射加工部）につき説明する。【００５２】
これらはいずれも各点光源２０１、２０１…の近傍で眩しいグレアを生じたり、発光面１００２から点光源が粒状に透けて見えるような現象を軽減するためのものである。【００５３】
特に、凹部１０１底部の反射加工１０３は反射加工１０４と同等の塗装や表面加工によって形成することができる。【００５４】
この反射加工１０３が無く、たとえば凹部１０１の底部が透明な場合、点光源２０１、２０１…の照射光は凹部１０１の底部付近から下方に照射される（あるいは漏光する）ことになるが、凹部１０１底部の反射加工１０３を設けて点光源２０１、２０１…の照射光を上方に反射することにより発光面１００２の下部方向に向かうのを防ぐことができる。これにより、各点光源２０１、２０１…の近傍で眩しいグレアを生じたり、発光面１００２から点光源が粒状に透けて見えるような現象を軽減することができる。【００５５】
なお、導光デバイス１００内部で拡散することによって点光源２０１の照明光は導光デバイス１００の凹部１０１の下部領域にも廻り込むため、反射加工１０３によって凹部１０１底部を（いわば）遮光してしまっても、この部位の発光量はそれほど小さくはならない。反射加工１０３は、特に上述のように拡散板１１０を配置する場合に、発光面１００２の中心部の光源の配置領域の下の光量分布を均一化するのに役立つ。【００５６】
また、反射面１００１の反射加工１０４の無い部位１０５（無反射加工部）を溝状の凹部１０１の両側に併設するのも同じ理由で、点光源２０１、２０１…に近接した部位においては反射面１００１の反射特性を小さくして、発光面１００２の下部方向に向かう光量を減少させる。これにより、点光源２０１、２０１…の照射光が点光源２０１、２０１…を配置した凹部１０１近傍で大きくなりすぎるのを防ぐことができ、各点光源２０１、２０１…の近傍で眩しいグレアを生じたり、発光面１００２から点光源が粒状に透けて見えるような現象を軽減することができる。【００５７】
ここで、点光源２０１、２０１…を多数配置した回路基板２００の実装構造につき詳細に説明しておく。【００５８】
先に触れたように、点光源２０１、２０１…は回路基板２００、２００に多数、周期的に配列し、回路基板２００、２００を導光デバイス１００の凹部の内部側壁に面するように立設する（回路基板２００、２００の固定方法の一例については後述する）。【００５９】
このとき、回路基板２００、２００と点光源２０１、２０１…が形成する段差に沿った形状で凹部１０１の側壁の下端に段差を設けておくと、回路基板２００、２００（したがって点光源２０１、２０１…）を設計上の位置に正確に位置決めすることができる。【００６０】
また、回路基板２００、２００を導光デバイス１００に固定するには、たとえば図４および図５に示すような構造を用いることができる。【００６１】
図４および図５に示す導光デバイス１００は、点光源２０１を収容する溝状の凹部１０１の縁部を壁状に延長した形状に成型（射出、押出または削り出し成型による）してあり、この部分を点光源２０１を保持する回路基板２００、２００を固定するための保持部１０６、１０６としたものである。【００６２】
このような保持部１０６、１０６を設けておくことにより、図５に示すように回路基板２００、２００をビス３０２、ナット３０３などを用いて固定することができる。ビス３０２、ナット３０３は、回路基板２００、２００の上方への抜け止めとして機能するが、回路基板２００、２００の間隔は、回路基板２００、２００の間にスペーサ部材（不図示）などを配置することなどにより、規制することができる。このスペーサ部材は、基板の放熱部材を兼ねていてもよい。【００６３】
なお、図４においては、ビス３０２、ナット３０３、ないしはそのための透孔などは不図示であるが、たとえば保持部１０６、１０６の端部の２点、あるいはそれに中央を加えた３点に透孔を設け、回路基板２００、２００の対応する位置にそれぞれ設けた透孔を貫通するようビス３０２、ナット３０３によるねじ止めを行なうことができる。【００６４】
また、保持部１０６、１０６は、導光デバイス１００と、該デバイスが実装される照明装置の筐体などを相互に結合するためにも利用することができる。たとえば、上記のビス３０２、ナット３０３を用いて照明装置の筐体に設けたブラケット（不図示）を共締めする、といった構造によって、導光デバイス１００と照明装置筐体を相互に結合することができる。【００６５】
なお、図４、図５に示したように壁状の保持部１０６、１０６は、反射加工１０４、１０４の無い部位１０５、１０５（無反射加工部）、好ましくは溝状の凹部１０１に最も近い位置が好ましい。保持部１０６、１０６のような構造を有する部位には反射加工を行なうのは困難であるから、このような位置に保持部１０６、１０６を配置することにより、反射加工１０４、１０４の無い部位１０５、１０５を有効利用することができる。【００６６】
また、壁状の保持部１０６、１０６を凹部１０１の縁部に（近い位置に）立設すれば、図５のような固定方式で回路基板２００、２００を固定するのに壁状の保持部１０６、１０６どうしの距離が近くなり、たとえば充分な固定強度を容易に確保することができる。【００６７】
以上のようにして、本実施例によれば、導光材料の形状、およびその拡散、反射特性を適切に組合せることにより、均斉度の高い高品質な面発光の照明光を照射でき、特に室内照明装置などに好適に利用できる導光デバイスを提供することができ、また該導光デバイスを利用することにより、高品質な面発光による照明光を照射できる照明装置を提供することができる。【００６８】
特に、反射特性を有する反射面１００１（第１の光学面）とこれに対向する発光面１００２（第２の光学面）を有し、反射面１００１に点光源２０１を収容する凹部１０１を設け、点光源２０１の主たる照射方向が第１の面および第２の面の間の領域を向くように点光源２０１を凹部１０１内に配置するようにしたため、たとえば点光源２０１の主たる照射方向を発光面１００２に向けるような従来構成において生じがちな点光源２０１、２０１…の近傍のグレアを低減し、また発光面１００２から点光源が粒状に透けて見えるような現象を軽減することができる。【００６９】
また、導光デバイス１００を用いて照明装置を構成する場合、発光面１００２下部に拡散板１１０を配置することによって、点光源２０１、２０１…の近傍のグレアを低減し、また発光面１００２から点光源が粒状に透けて見えるような現象をより確実に軽減することができる。【００７０】
また、反射面１００１（第１の光学面）の反射特性は、反射加工１０４、すなわち、反射面１００１に対する塗装、反射面１００１に対する印刷、または反射面１００１に対する表面加工などによって容易に付与、あるいは増強することができる。発光面１００２（第２の光学面）は、基本的には研磨加工（鏡面研磨）などによって透過面としておけばよい。【００７１】
また、反射加工１０４の無い部位１０５を点光源２０１を収容する凹部１０１の近傍に配置することによって、点光源２０１、２０１…の近傍のグレアを低減し、また発光面１００２から点光源が粒状に透けて見えるような現象を軽減することができる。【００７２】
また、反射加工１０４の無い部位１０５を利用して、点光源の保持部材ないし導光デバイスが実装される照明装置筐体を固定するための保持部を設けることができる。【００７３】
なお、反射面１００１（第１の光学面）も発光面１００２（第２の光学面）と同等の研磨加工（鏡面研磨）とし、導光デバイス１００全体を鏡面に仕上げ、導光デバイス１００内の（ランダムな）全反射を利用して発光面１００２からの均一な照射を行なう構成も考えられる。特に、このような構造では、図１の断面形状Ｂ、Ｃのように反射面１００１（第１の光学面）と発光面１００２（第２の光学面）を曲面で構成し、これらの鏡面の形状を種々設定することにより、所望の配光特性を実現することができる。【００７４】
また、反射面１００１（第１の光学面）と発光面１００２（第２の光学面）の双方に同等の研磨加工（鏡面研磨）を行なう構成においては、図３に示した拡散板１１０を配置することが点光源２０１近傍でのグレアを防止する上で重要な構造となる。ただし意図的に導光デバイス１００の中央から周辺にかけての光量分布が均等ではない配光特性を狙う、といった用途では拡散板１１０は必ずしも必須な構造ではない。【００７５】
本実施例の導光デバイス１００は点光源２０１の主たる照射方向と発光面１００２の照射方向とが一致しないよう配慮されており、導光デバイス１００の（全）反射、透過、あるいは屈折といったランダムな事象により全体として生じる拡散効果により面発光の照明光を生成するよう構成されており、たとえば点光源２０１、ないし点光源２０１を実装した回路基板２００が、組立工程において多少の位置ずれがあっても、完成品の照明装置はグレアを発生させることなく均斉度の高い面発光照明装置を実現することができる。【００７６】
また、本実施例の導光デバイス１００は、全体を任意のサイズの概略板状の部材に構成することができ、たとえば旧来の直管型蛍光灯を設置しているスペースに置き換えて取り付け可能な照明器具に用いることができるような寸法、形状に構成することは容易であり、また、たとえばその長手方向に直列に連続的に配置することが可能で、照明装置の長さの変更も容易である。【００７７】
なお、上述の導光デバイス１００において、反射加工１０３や、反射加工１０４およびそれが無い部位１０５の配置、あるいは拡散板の配置などは、発光面１００２から均一な面発光を行なうために有効なものであるが、たとえば点光源２０１の存在を知覚できるように照明を行なう、などといった特別な照明効果を狙う場合においては必ずしも必須の構成ではなく、当業者において必要な所期の照明効果に応じて取捨選択することができるものである。【００７８】
また、以上では、導光デバイス１００を概ね板状の部材とし、点光源２０１を収容する凹部１０１を溝状の構造とした実施例を示したが、導光デバイス１００を回転体形状とする、たとえば図１に示した断面形状Ａ、ＢまたはＣを回転させて得られるような全体がほぼ円盤状の形状においてもほぼ上述と同様の効果を期待できる。【００７９】
このような回転体形状の導光デバイスでは、点光源（２０１）を収容する凹部（１０１）はたとえば有底の丸穴形状となるが、点光源（２０１）は少なくとも２ないし３個、あるいはそれ以上の数、導光デバイスの円周を等角度で分割するような方向に主たる照射方向が向くように配置すると良い。
【符号の説明】
【００８０】
１００  導光デバイス
１０１  凹部
１０３  反射加工
１０４  反射加工
１０６  保持部
１１０  拡散板
２００  回路基板
２０１  点光源
３０２  ビス
３０３  ナット
１００１  反射面
１００２  発光面
【図１】
2013150908.tif 000003
【図２ａ】
2013150908.tif 000004
【図２ｂ】
2013150908.tif 000005
【図２ｃ】
2013150908.tif 000006
【図３】
2013150908.tif 000007
【図４】
2013150908.tif 000008
【図５】
2013150908.tif 000009
【国際調査報告】
2013150908.tif 000010
2013150908.tif 000011
2013150908.tif 000012
2013150908.tif 000013